(57)【要約】      （修正有）【課題】書類を挟んで整理するバインダークリップについてる双方の指当てを摘まんで操作する指先の力を弱い握力で使えるバインダークリップにする。【解決手段】書類Ａを挟んで整理、保管する為のクリップが、金属薄板バネ材で成る三角体１の一角が分離して書類Ａをバネ圧で挟み付ける挟着部２が、双方の接合辺２ａに設けた金属製線材の対向するハンドル３の操作で開閉自在でなるバインダークリップ１０１において、ハンドル３頂部の双方の指当て部３ａに差し込み取り外し自在或いは固着で成る合成樹脂製の第二指当て体４を設け、此れらがハンドル３の指当て部３ａを延長可能にする事で、挟着部２の接合辺２ａに設けたハンドル３の回動自在な力点接合部３ｂの支点部３ｃと第二指当て体４の操作点部３ｄとの延長にて、挟着部２開口の為の操作力Ｐをテコ原理作用にて軽減可能な構成にする。【選択図】図１
0003120260.tif 000002
【実用新案登録請求の範囲】
【請求項１】
書類（Ａ）を挟んで整理、保管する為のクリップが、金属薄板バネ材で成る三角体（１）の一角が分離して書類（Ａ）をバネ圧で挟み込む挟着部（２）が、双方の接合辺（２ａ）に設けた金属製線材の対向するハンドル（３）の操作で開閉自在でなるバインダークリップ（１０１）において、該ハンドル（３）端部の双方の指当て部（３ａ）に差し込み取り外し自在或いは固着で成る合成樹脂製の第二指当て体（４）を設け、此れらがハンドル（３）の指当て部（３ａ）を延長可能にする事で、挟着部（２）の接合辺（２ａ）に設けたハンドル（３）の回動自在な力点接合部（３ｂ）の支点部（３ｃ）と第二指当て体（４）の操作点部（３ｄ）との延長にて、挟着部（２）開口の為の操作力（Ｐ）をテコ原理作用にて軽減可能にした事を特徴とするバインダークリップ。
【請求項２】
前記する合成樹脂製の第二指当て体（４）に第三指当て体（５）を伸縮自在手段て接合し、操作点部（３ｄ）を移動可能にした事を特徴とする請求項１記載のバインダークリップ。
【請求項３】
前記する合成樹脂製の第二指当て体（４）又は第三指当て体（５）をキャラクター形状にしたり、或いは此れらの表面（４ａ），（５ａ）に模様、記号などの印刷シール貼り付けや直印刷仕上げ体にした事を特徴とする請求項１又は請求項２記載のバインダークリップ。
【考案の詳細な説明】
【技術の分野】
【０００１】此の考案は伝票や書類を挟んで整理する為の文具用品でのバインダークリップに関し、更に詳しくは、伝票や書類を強力に挟み込むのに、弱い操作力で開口するようにしたバインダークリップの改良で、且つ此れらの操作するハンドルの指当て部がアクセサリーを兼ねるようにしたものである。
【背景技術】
【０００２】此の種の従来の技術として一般に知られるバインダークリップは図５で示す様に伝票や書類等を挟んで整理、管理の為広く使われ、同一構造で大小様々なサイズで商品化されて市場に出回っている。【０００３】そして此れらのバインダークリップはバネ性の鋼板やステンレス板材を使ってプレス加工にて三角体１に折り曲げられ、其の一角が分離して書類Ａを挟み込む挟着部２とするが、挟着部２は常時其の双方の接合辺２ａが所定のバネ圧にて閉成体に構成するために三角体１の他の二つの角Ｑと三角体１の材料の厚みを変えることで、双方の接合辺２ａの書類Ａを挟み込むバネ圧を得る構成で、即ち書類Ａを挟み込むバネ圧の強弱は同一材質と同一形状からなる三角体１ではその材料の厚みと三角体１の二つの角度Ｑを変える事で接合辺２ａの双方の抱き合う圧着のバネ圧をコントロールしている。【０００４】この様な一角を挟着部２とする三角体１での挟着部２の開口操作は挟着部分２の双方の接合辺２ａの両端がパイプ状にカールされる。そして個別に細い金属製線材を使って折り曲げられ端が二股構成で頂部は指当て部３ａ形状でのハンドル３は其の二股構成での二つの端子がそれぞれカールされたパイプ状の力点接合部３ｂの穴に差し込まれ回動軸支することで、双方のハンドル３は対向して折り畳み自在の構成である。【０００５】そして此れらの双方のハンドル３は三角体１の二辺の傾斜に沿ってＶ字形状の三角体１とハンドル３とが一体化し、ハンドル３の指当て部３ａに操作力Ｐを付加することで、三角体１の二つの角度Ｑの陵辺をハンドル３は支点部３ｃとして指当て部３ａに掛ける操作力Ｐがテコの原理作用にて力点接合部分３ｂが矢印方向に力が働き接合辺２ａが開口し、指当て部３ａの操作力Ｐを解除することで開いた接合辺２ａがバネ圧にて閉じることになる。
【考案の開示】
【考案が解決しようとする課題】
【０００６】しかしながら上記する従来技術の場合はバインダークリップを使って書類を挟むのに細い金属製のハンドルの先に設けた二本の指当て部を指先で摘まんで書類の挟着部を開くので、指先に細い金属製の指当て部がくい込み、指先を痛めるなどの課題がある。【０００７】そして又挟着部に挟み込む書類の厚みが厚くなればなるほど開口部を広く開く事で必要以上に指先に力を掛けないと開きにくいなどで子供や指先に握力のない使用者には弱い指先の操作力で且つ指先に食い込まない指当ての持つハンドルが強く要望されて居た等の課題がある。
【課題を解決するための手段】
【０００８】この考案はかかる欠点ともなる課題を解決する為に請求項１を図１、図２、で述べるように書類Ａを挟んで整理、保管する為のクリップが、金属薄板バネ材で成る三角体１の一角が分離して書類Ａをバネ圧で挟み込む挟着部２が、双方の接合辺２ａに設けた金属製線材の対向するハンドル３の操作で開閉自在でなるバインダークリップが、其のハンドル３頂部の双方の指当て部３ａに差し込み取り外し自在或いは、固着でなる合成樹脂製の第二指当て体４を設け、此れらがハンドル３の指当て部３ａを延長可能にする事で、挟着部２の接合辺２ａに設けたハンドル３の回動自在な端子が力点接合部３ｂとしてその支点部３ｃと第二指当４の操作点部３ｄの間の延長にて挟着部２開口の為の操作力Ｐがテコ原理作用にて軽減する構成である。【０００９】次に請求項２では図３で述べるように前記する合成樹脂製の第二指当て体４に第三指当て体５を伸縮自在手段で接合し、操作点部３ｄを移動可能にし、支点部３ｃと操作点部３ｄのスパンを延長する事で操作力を軽減する構成である。【００１０】次に請求項３では前記する合成樹脂製の第二指当て体４又は第三指当て体５をキャラクター形状にしたり、或いは此れらの表面４ａ、５ａに模様、記号などの印刷シールの貼り付けや直印刷仕上げ体にした構成である。
【考案の効果】
【００１１】本考案は上述の様に構成作用するので次の優れた効果を奏する。即ち請求項１で述べるように伝票、パンフレット、プリント等の書類の整理保存の際にバインダークリップで此れらの書類を挟み付ける強力な保持力でも比較的弱い操作力で挟着部の開口が出来、且つ成型品での樹脂材で面積の大きい指当てにした事で指先に指当てが食い込んだり、痛めたりすることのない指に優しいバインダークリップを提供することが出来る。【００１２】また請求項２で述べるように折り畳み自在でなるハンドルに設けた第三指当て体が伸縮自在に調整出来ることで薄い書類を挟む為の挟着部の開きの小さいときは指当て体を縮小し、挟着部を最大幅に大口に開いての書類のクリップは指当てを最長に延ばし操作力を軽減して操作の出来るバインダークリップを提供出来る。【００１３】次に請求項３で述べる指当てをアレンジしワンポイントのアクセサリー付きの様々な自分好のバインダークリップを提供出来る、更には指当てを書類のインデックスとして書き込み、書類の取り出し差し替え見出しにする便利なバインダークリップを提供出来る。
【考案を実施するための最良の形態】
【００１４】以下に図示の実施例に基づいて本考案を更に詳細に説明する。
図１、図２、は本考案での第一実施例での全体斜視図であるが、バネ用ステンレスやバネ用鋼板などの金属薄板で成る三角体１形状の一角（一陵）が分離して書類Ａをバネ圧で挟み付ける挟着部２が、此れらの双方の接合辺２ａの両端がパイプ状にカールされて、常時其れらの双方の接合辺２ａは所定のバネ圧の加勢で閉成体に構成する。【００１５】そしてバネ圧の加勢にて、閉成体で成る挟着部２は書類Ａを挟み付ける際に開く為に個別の細い金属線材を使ってＶ字形状に折り曲げられその両端が挟着部２の接合辺２ａのカールされたパイプ状の穴に差し込まれて力点接合部３ｂとして回動自在でなるハンドル３を設け、其れらの折り曲げ頂部には略円形状に形造くられた指当て部３ａを構成し、三角体１の二辺の傾斜に沿うて双方のハンドル３が一体かされ、其の双方の指当て部３ａに操作力Ｐを付加することで、ハンドル３の指当て部３ａと力点接合部３ｂとの間に位置する三角体１の二辺の曲げ角陵辺が支点部３ｃとして、テコの原理作用として書類Ａを挟み付ける挟着部２が開くが、此れらの操作力Ｐの大きさを軽減する為に、個別に用意する合成樹脂製の第二指当て体４をハンドル３の指当て部３ａに係合させ、操作点部３ｄを容易に支点部３ｃから指当て部３ａを第二指当て体を介して遠ざける事の出来る仕組みとする。【００１６】此のように第一実施例では一般的に使われている従来のバインダークリップ１０１のハンドル３の操作力Ｐを付加する指当て部３ａに本考案での個別に構成する合成樹脂製の第二指当て体４の側面に開口する穴４ｂにはめ込まれて抜け止め４ｃによって係合する仕組みで、此れらの第二指当て体４は着脱自在に構成するが、指当て部３ａの形状と其れに係合する穴４ｂを変える事で差し込み固定なども良く、双方を一体化については特定するものでく、指当て部３ａに第二指当て体４を接続することで、摘まみ易く弱い操作力Ｐで挟着部２を全開出来る考案を第一実施例としている。【００１７】次に本考案での第二実施例を図３に示す全体斜視図で述べるに、前記する第二指当て体４に、伸縮自在でなる第三指当て体５を接合し、更に指先の操作力Ｐを任意に加減出来る構成とするが、本実施例での双方の接合はハンドル３の指当て部３ａに差し込まれた矩形状の第二指当て体４の両側面に設けたスリット４ｄに第三指当て体５の爪５ｂをはめ込みスライドを自在に構成し第三指当て体４の伸び縮みの出来る構成とするが、此の形状、構成に双方の接合を特定するものでない。或いは第三指当て体５をハンドル３の指当て部３ａに直接的に伸縮自在に接続する等でも良い。【００１８】次に又第三実施例を図４に示す全体斜視図で述べるに、前記するそれぞれのハンドル３を操作するための第二、第三指当て体４、５、の形状をキャラクターにアレンジした形状にしたり、あるいは模様や記号等を印刷、シール貼り等で自分好の第二、第三指当て体４、に選択の出来る目立つて変わったバインダークリップの仕組みとするが、本実施例では第一実施例の第二指当て体４の表面４ａに模様を施した引例とするが、此れらの指当て体を書類Ａのインデックス用に横長形状にし、印刷物を貼り付けて整理棚或いはテイブル上の保管書類Ａの取り出し目印にする等の構成でもかまわない。
【図面の簡単な説明】
【００１９】
【図１】本考案に係わる第一実施例での全体を示す斜視図である。
【図２】本考案に係わる第一実施例での使用例の斜視図である。
【図３】本考案に係わる第二実施例での全体を示す斜視図である。
【図４】本考案に係わる第三実施での分解での斜視図である。
【図５】従来技術で全体斜視図である。
【符号の説明】
【００２０】１０１        バインダークリップ
Ａ          書類
１          三角体
２          挟着部
２ａ        接合辺
３          ハンドル
３ａ        指当て部
３ｂ        力点接合部
３ｃ        支点部
３ｄ        操作点部
４          第二指当て体
４ａ，５ａ  表面
４ｂ        穴
４ｃ        抜け止め
４ｄ        スリット
５          第三指当て体
【図１】
0003120260.tif 000003
【図２】
0003120260.tif 000004
【図３】
0003120260.tif 000005
【図４】
0003120260.tif 000006
【図５】
0003120260.tif 000007